(57)【要約】【課題】充分な天場処理の切削幅が得られ、その上に形成される新畦が崩れ難い切削面を形成できる。【解決手段】凹状ディスク５４を有する天場処理装置、耕耘爪６１Ａを有する土盛り装置、塗り付けドラム７１を有する塗り付け装置を畦形成部とする畦塗り機であり、凹状ディスク５４は、進行方向に対して約４５°内側に向き且つ地面に対して約３０°上に向いた凹状面５４Ａを有すると共に、その中心付近に凸状部５４Ｂを有し、塗り付けドラム７１における円筒部７１Ａの長さＬ２に応じた切削領域５４Ｓの幅Ｌ１を備える。【選択図】　　　　図４
2004129582.tif 000002
【特許請求の範囲】
【請求項１】
旧畦の上面を切削する天場処理装置と、その後段に装備され旧畦の内側を切削すると共に切削された旧畦上に土を盛り上げる土盛り装置と、該土盛り装置によって盛り上げられた土を畦形状に塗り付ける塗り付け装置とからなり、前記旧畦に沿って進行しながら畦形成を行う畦塗り機であって、
前記塗り付け装置は、旧畦に垂直な軸周りに回転駆動され、畦上面を塗り付ける円筒部と畦側面を塗り付ける円錐台部とからなる塗り付けドラムを備え、
前記天場処理装置は、前記円筒部の長さに応じた凹状削土域を前記旧畦上面に形成すると共に、該凹状削土域からの削出土を反転させて前記土盛り装置の前に放出する回転自在な凹状ディスクを備えることを特徴とする畦塗り機。
【請求項２】
前記凹状ディスクは、凹状面の中心付近に凸状部を有すると共に、前記凹状面が進行方向斜め内側に向けて配置されることを特徴とする請求項１記載の畦塗り機。
【請求項３】
前記凹状ディスクの凹状面は、進行方向に対して約４５°内側に向くと共に、地面に対して約３０°上向きに配置されることを特徴とする請求項１又は２に記載の畦塗り機。
【請求項４】
前記凹状ディスクは、機体に対して上下及び左右に位置調整可能であることを特徴とする請求項１〜３のいずれかに記載の畦塗り機。
【請求項５】
前記凹状ディスクは、上方に退避する跳ね上げ機構に装着されていることを特徴とする請求項１〜４のいずれかに記載の畦塗り機。
【発明の詳細な説明】
【０００１】
【発明の属する技術分野】
本発明は、水田等を区画する畦を形成するための畦塗り機に関するものである。
【０００２】
【従来の技術】
この種の畦塗り機は、トラクタ等の走行機体の後部に装着され、この走行機体からの動力を受けて駆動され、旧畦に沿って移動しながら、旧畦上に整地された新畦を形成するものであり、旧畦の内側を切削すると共に切削された旧畦上に土を盛り上げる土盛り装置と、この土盛り装置によって盛り上げられた土を畦形状に塗り付ける塗り付け装置とを主要な構成として備えている。
【０００３】
このような畦塗り機においては、旧畦の上面に雑草等が繁茂していたり、或いは旧畦の上面が固くなっているような場合には、その上に新畦を形成しようとすると、旧畦と新畦との境界が分離しやすくなり、形成後に新畦が崩れやすいという問題があることから、旧畦の上面（天場）を切削処理する天場処理装置を土盛り装置の前段に設けて、この切削処理された旧畦の上面に新畦を形成するようにしたものが各種提案されている。
【０００４】
このような天場処理装置を備えた畦塗り機の従来例としては、下記特許文献１に記載されるように、土盛り装置のロータリの前段に天場処理用のロータリを別に設けたもの、下記特許文献２に記載されるように、土盛り装置の前段に犂状の前処理装置を設けたもの、下記特許文献３に記載されるように、土盛り装置の前段にディスク状の前処理装置を設けたもの等が提案されている。
【０００５】
【特許文献１】
特開平８−１９１６０３号公報
【特許文献２】
特開２００１−２号公報
【特許文献３】
特開平１０−２９５１０５号公報
【０００６】
【発明が解決しようとする課題】
このような従来の天場処理装置を備えた畦塗り機は、それぞれ実用上の問題点を有している。すなわち、特許文献１に記載のもののようにロータリを駆動させて天場処理を行うものでは、駆動機構が複雑になり、高重量化或いはコストアップを招く問題がある。
【０００７】
また、特許文献２に記載のもののように、犂状の前処理装置を設けたものでは、前処理装置（天場処理装置）に駆動部がないので前述の問題は回避できる。そして、前処理装置で切削された削出土が反転して土盛り装置の前に放出されるので、旧畦上に盛り上げられる土の中に粉砕した雑草等を完全に混合させることが可能になり、新畦内に分離面を形成しないという利点もある。しかしながら、犂状面で抵抗を受けるので牽引抵抗が大きくなり、走行機体の大型化・高出力化を招くという問題がある。また、犂状の前処理装置による切削面は、旧畦の内側に傾斜した面を形成してしまうので、この面上に形成された新畦が面に沿って滑り落ち崩れやすくなるという問題がある。
【０００８】
また、特許文献３に記載のもののように、ディスク状の前処理装置を設けたものでは、犂状のものに比較すると牽引抵抗は小さいが、進行方向に対して斜めにディスク面を配置するので、切削幅が狭くなり充分な天場処理効果を得ることができないと共に、削出土の反転効果が少なく、新畦内に雑草等による分離面が生じやすいという問題がある。
【０００９】
本発明は、このような問題に対処して、実用的且つ良好な天場処理機能を有する畦塗り機を提供するものであって、駆動機構を有さない天場処理装置からなり低重量・低価格化が可能であること、牽引抵抗が小さいこと、新畦内に分離面が生じ難いこと、充分な天場処理の切削幅が得られること、その上に形成される新畦が崩れ難い切削面を形成できること等を目的とするものである。
【００１０】
【課題を解決するための手段】
このような目的を達成するために、本発明による畦塗り機は、以下の各請求項に係る特徴を具備するものである。
【００１１】
請求項１に係る発明は、旧畦の上面を切削する天場処理装置と、その後段に装備され旧畦の内側を切削すると共に切削された旧畦上に土を盛り上げる土盛り装置と、該土盛り装置によって盛り上げられた土を畦形状に塗り付ける塗り付け装置とからなり、前記旧畦に沿って進行しながら畦形成を行う畦塗り機であって、前記塗り付け装置は、旧畦に垂直な軸周りに回転駆動され、畦上面を塗り付ける円筒部と畦側面を塗り付ける円錐台部とからなる塗り付けドラムを備え、前記天場処理装置は、前記円筒部の長さに応じた凹状削土域を前記旧畦上面に形成すると共に、該凹状削土域からの削出土を反転させて前記土盛り装置の前に放出する回転自在な凹状ディスクを備えることを特徴とする。
【００１２】
請求項２に係る発明は、請求項１の畦塗り機を前提にして、前記凹状ディスクは、凹状面の中心付近に凸状部を有すると共に、前記凹状面が進行方向斜め内側に向けて配置されることを特徴とする。
【００１３】
請求項３に係る発明は、請求項１又は２の畦塗り機を前提として、前記凹状ディスクの凹状面は、進行方向に対して約４５°内側に向くと共に、地面に対して約３０°上向きに配置されることを特徴とする。
【００１４】
請求項４に係る発明は、請求項１〜３の畦塗り機を前提として、前記凹状ディスクは、機体に対して上下及び左右に位置調整可能であることを特徴とする。
【００１５】
請求項５に係る発明は、請求項１〜４の畦塗り機を前提として、前記凹状ディスクは、上方に退避する跳ね上げ機構に装着されていることを特徴とする。
このような各請求項に係る特徴を有する畦塗り機は以下の作用を有している。
【００１６】
第１には、天場処理装置で旧畦の上面を切削して、その削出土を土盛り装置の前に放出し、土盛り装置では、天場処理装置で切削された旧畦上面の削出土と切削された旧畦内側の削出土とが混合・砕土されて、これらが切削された旧畦上に盛り上げられ、更に、塗り付け装置で盛り上げられた土を畦形状に塗り付けて、旧畦上に新畦を形成する。
【００１７】
この際、塗り付け装置は、畦上面を塗り付ける円筒部と畦側面を塗り付ける円錐台部とからなる塗り付けドラムを備え、これが旧畦に垂直な軸周りに回転駆動されるので、円筒部の長さに応じた平坦な上面と円錐台部の稜線に沿った斜面を有する台形に圧密成形された新畦を形成することができる。
【００１８】
そして、天場処理装置は、回転自在な凹状ディスクよって、塗り付けドラムにおける円筒部の長さに応じた凹状断面の削土域を旧畦上面に形成するので、旧畦の上面においては、円筒部で塗り付けられる全域に凹状断面の削土域が形成されることになり、新畦が崩れにくい良好な天場処理効果が得られる。つまり、旧畦の上面には、盛り土が塗り付けられる全域に亘って凹状の受け面が形成される状態になっているので、塗り付けられる新畦はこの受け面で保持されることになり、確実な締め固めが可能であると共に形成後の崩れを確実に防止することが可能になる。
【００１９】
更には、天場処理装置の凹状ディスクは回転自在なディスクであって駆動手段を有さないので、駆動機構が複雑になることが無く、軽量且つ安価に製造することができる。また、抵抗に対しては、凹状ディスクが自転することで、旧畦上面に広い削土域を形成しながらも牽引抵抗を低減させることが可能になる。そして、この凹状ディスクは削出土を反転させる機能を有しているので、雑草等が生えた旧畦上面の削出土が反転して土盛り装置の前に放出され、旧畦上に盛り上げられる土の中に粉砕した雑草等を完全に混合させることができ、内部に分離面を形成し難い新畦を形成することができる。
【００２０】
第２には、凹状ディスクにおける凹状面の中心付近に凸状部を形成しているので、進行方向斜め内側に向けた凹状ディスクの凹状面を、旧畦上面の削土域を広げるために、より進行方向に対面させる状態にした場合でも、削出土がこの凸状部の作用によって反転し易くなり、旧畦上面の広い範囲に亘る削出土を確実に反転させて土盛り装置の前に供給することができる。
【００２１】
第３には、凹状ディスクにおける凹状面の対面方向と進行方向の角度を４５°にすることで旧畦上面に広い削土域を確保し、また、凹状面の対面方向を地面に対して３０°上に向けているので、前述の凸状部の作用と相俟って、一旦上方に案内された削出土を確実に反転させて土盛り装置の前に放出することができ、前述の作用を確実に奏することができる。
【００２２】
第４には、凹状ディスクを機体に対して上下及び左右に位置調整可能にしているので、凹状ディスクの位置を調整して、旧畦上面に形成される削土域を塗り付けドラムにおける円筒部の長さに対応させる調整が可能であり、また、牽引抵抗を考慮した削土深さの調整を行うことが可能になる。
【００２３】
第５には、凹状ディスクは上方に退避する跳ね上げ機構に装備されているので、天場処理を必要としない旧畦の場合には、凹状ディスクを不使用状態にして、牽引抵抗の少ない作業を実現することができる。
【００２４】
【発明の実施の形態】
以下、本発明の実施形態を図面を参照して説明する。図１及び図２は、本発明の一実施形態に係る畦塗り機の全体構造を示す説明図であり、図１が平面図、図２が側面図を示している。これらの図において、畦塗り機１は、図示省略したトラクタの後部に装着されて矢印方向に進行しながら畦形成作業を行うものであって、連結部１０、オフセット機構部２０、機体支持部３０、動力伝達部４０を備えると共に、天場処理装置５０、土盛り装置６０、塗り付け装置７０からなる畦形成部を備えるものである。
【００２５】
連結部１０は、トラクタの３点リンク連結機構と連結するためのトップリンク部１１及び左右のロアリンク連結部１２，１２を有すると共に、トラクタのＰＴＯ軸からユニバーサルジョイント及び伝動軸を介して動力を受ける入力軸（図示省略）を有し、これらが本体フレームを兼ねる伝動フレーム１３に装備されている。
【００２６】
オフセット機構部２０は、トラクタ後部に連結される伝動フレーム１３に対して、機体支持部３０及びこれに支持された畦形成部をトラクタの側方に向けてオフセット移動させるための機構であり、平行リンク２１，２１とオフセット量調整用のシリンダ機構２２とを備えるものである。
【００２７】
機体支持部３０は、動力伝達部４０及び畦形成部を支持するものであり、支持フレーム３１（３１Ａ，３１Ｂ，３１Ｃ）を備えるものである。この支持フレーム３１には、三角ディスク状のゲージホイール３２が上下調節支持部３３により上下調節可能に設けられている。
【００２８】
動力伝達部４０は、前述した入力軸からの動力を土盛り装置６０及び塗り付け装置７０の各駆動部に伝達するものであり、一つは、前述の入力軸からＷジョイント（広角ジョイント）付きのスプライン伝動軸４１、支持フレーム３１に支持された伝動ケースを介して塗り付け装置７０の駆動部に伝動される伝動系と、もう一つは、前記の伝動ケースから油圧モータを備える伝動ケース４２へ動力伝達し、この油圧モータによって土盛り装置６０の駆動部を駆動させる伝動系とからなるものである。
【００２９】
以下、畦形成部について説明する。天場処理装置５０は、畦形成部の最前段に装備されており、支持フレーム３１Ｃ（機体）に対して左右にスライド調整可能で所望の位置に位置決めできるスライド部材５１と、このスライド部材５１の端部において、調整ハンドル５２の操作によって上下に位置調整できる鉛直部材５３（図２参照）と、この鉛直部材５３の下端に回転自在に軸支された凹状ディスク５４とからなるものである。この凹状ディスク５４は、凹状面５４Ａを進行方向（矢印）斜め内側に向けて配置しており、この凹状面５４Ａの中央付近に凸状部５４Ｂを有している。また、この天場処理装置５０は、図２に示されるように、支持フレーム３１Ｃから軸回転可能になっており、この回転によって、凹状ディスク５４が上方の退避位置に跳ね上げられる跳ね上げ機構を備えている。
【００３０】
土盛り装置６０は、天場処理装置５０の後段に、支持フレーム３１Ｂに対して上下に位置調整可能に装着されており、前述の駆動部によって回転駆動されるロータリ耕耘装置６１、このロータリ耕耘装置６１の周辺及び旧畦上を覆う土盛りカバー６２、旧畦上の外端に配置されるサイドカバー６３を備えている。
【００３１】
ロータリ耕耘装置６１は、機体の進行方向と平行に配設される回転駆動軸（図示省略）を備え、この回転駆動軸の軸周に複数の耕耘爪６１Ａを取り付けたものであり、この耕耘爪６１Ａによって旧畦の内側を切削して、削出土を砕土しながら上方に跳ね上げ、土盛りカバー６２によって旧畦上に土を盛り上げるものである。
【００３２】
サイドカバー６３は、カバー本体６３Ａの下側に樹脂板等からなるフレキシブル構造の弾性板６３Ｂを備えており、この弾性板６３Ｂが旧畦上に接するように配備されている。また、カバー本体６３Ａ自体は、平行リンク６３Ｃによって上下動自在に支持されている。したがって、サイドカバー６３は、作業時には旧畦の上面外側に弾性板６３Ｂの下辺が当接しながら摺動し、旧畦上面の凹凸に沿って上下動するようになっており、これによって、土盛りカバー６２に案内されて旧畦上に跳ね上げられた盛り土を旧畦上面の外側で確実に受け止めることができるように構成されている。
【００３３】
塗り付け装置７０は、土盛り装置５０の後段において、支持フレーム３１Ａに装着されており、前述の駆動部によって回転駆動される回転駆動軸（図示省略）が機体の進行方向に垂直（旧畦に垂直）に配備されていて、この回転駆動軸に、円筒部７１Ａと円錐台部７１Ｂとからなる塗り付けドラム７１が装着されている。この塗り付けドラム７１に対する上方の一部はカバー７２で覆われている。
【００３４】
このような、畦塗り機１の基本的な機能を説明すると、旧畦の側方に沿ってトラクタを移動させながら、畦塗り機１の機体を旧畦に沿って矢印方向に進行させ、前述した畦形成部の作用によって旧畦上に成形された新畦を形成するものである。
【００３５】
この畦形成部における各装置の作用としては、天場処理装置５０の凹状ディスク５４で旧畦の上面を切削して、その削出土を土盛り装置６０の前に放出し、土盛り装置６０では、ロータリ耕耘装置６１によって旧畦の内側を切削すると共に、天場処理装置５０で切削された旧畦上面の削出土とロータリ耕耘装置６１で切削された旧畦内側の削出土とを共に砕土して混合し、これらが土盛りカバー６２に案内されて切削された旧畦上に盛り上げられる。そして、その後段に装着された塗り付け装置７０で盛り上げられた土を畦形状に塗り付けて、旧畦上に新畦を形成する。
【００３６】
この際、塗り付け装置６０は、畦上面を塗り付ける円筒部７１Ａと畦側面を塗り付ける円錐台部７１Ｂとからなる塗り付けドラム７１を備えており、これが旧畦に垂直な軸周りに回転駆動されるので、円筒部７１Ａの長さに応じた平坦な上面と円錐台部７１Ｂの稜線に沿った斜面を有する台形に圧密成形された新畦を形成することができる。
【００３７】
以下に、本実施形態の主要部である天場処理装置５０の構造と機能について、図面を参照しながら更に詳細に説明する。
【００３８】
図３は、天場処理装置５０における凹状ディスク５４の構造及び配置を説明する説明図である（同図（ａ）が機体上方からみた平面図、同図（ｂ）が側面部分断面図である。）。凹状ディスク５４は、前述したように凹状面５４Ａと、その中心付近に形成された凸状部５４Ｂとを有し、鉛直部材５３の下端に軸受け５４Ｃを介して回転自在に軸支されている。そして、この凹状面５４Ａは、同図（ａ）に示すように進行方向に対して約４５°内側に向くと共に、同図（ｂ）に示すように地面Ｈに対して約３０°上に向いて配置される。そして、前述したように、機体に対して、矢印ａに示すように左右に位置調整可能であり、矢印ｂに示すように上下に位置調整可能に装着されている。
【００３９】
図４及び図５によって、このような天場処理装置５０を備えた畦塗り機１の主要な機能について説明する。図４は、機体前方からみた、畦形成部における各装置の配置関係を示す説明図である。ここで、凹状ディスク５４は前述の進行方向及び地面に対する傾斜によって、進行方向に垂直な幅Ｌ１を有する切削領域５４Ｓを形成している。この切削領域５４Ｓは、旧畦の上面を幅広く切削できる広さであり、塗り付けドラム７１の円筒部７１Ａの長さＬ２に対応させてその長さとほぼ等しい広さに設定される。これによって、円筒部７１Ａの外側端部に至るまで旧畦上面に削土域が形成される。
【００４０】
このような広い切削領域５４Ｓを形成するように、凹状ディスク５４の凹状面５４Ａを傾斜（進行方向に対して約４５°の傾斜）させた場合には、例えば前述した従来例（特許文献３）のディスク状の前処理装置では、極めて反転性が悪くなってしまう。これに対して、本発明の実施形態では、凹状ディスク５４の凹状面をやや上方に向けて傾斜（地面に対して約３０°の傾斜）させ、その中央付近に凸状部５４Ｂを形成することで反転性を改善している。つまり、本実施形態の凹状ディスク５４では、幅広に削り取られた削出土が凹状面５４Ａに沿って一旦上昇し、更に凸状部５４Ｂの表面に沿って反転されて回転駆動されるロータリ耕耘装置６１における耕耘爪６１Ａの前方に放出されることになる。
【００４１】
そして、ロータリ耕耘装置６１では、耕耘爪６１Ａが回転する回転軌跡６１Ｂに従って旧畦の内側が切削され、この削出土と凹状ディスク５４によって切削されて反転された削出土とが共に砕土され、旧畦上面の雑草等を粉砕して混合し、新畦形成の盛り土が形成される。
【００４２】
図５は、本実施形態によって形成される旧畦の切削状態と新畦の形成状態を示す説明図である。この実施形態によると、まず、旧畦上面に凹状ディスク５４の外周に応じた切削面Ｏ１が形成され、旧畦の内側には耕耘爪６１Ａの回転軌跡６１Ｂに応じた切削面Ｏ２が形成されることになる。
【００４３】
ここで、この切削面Ｏ１は、旧畦に対して凹状断面の削土域を形成することになる。この凹状断面の削土域は、前述した切削領域５４Ｓの幅Ｌ１に相当する幅Ｌ１’を有するもので、塗り付けドラム７１における円筒部７１Ａの長さＬ２に対してほぼ全域に形成されるものであるから、円筒部７１Ａによる盛り土の圧密に対して全体的に天場処理効果を与えることが可能になる。更には、この切削面Ｏ１による凹状断面の削土域は、旧畦の上面に受け皿のような受け面を形成することになり、また、その内側には上方に突出した受け止め部分Ｏ１ａが形成されるので、塗り付けられる新畦Ｎはこの受け面或いは受け止め部分Ｏ１ａで保持されることになり、旧畦上に形成される新畦Ｎに対して、確実な締め固めが可能であると共に形成後の崩れを確実に防止することが可能になる。
【００４４】
また、凹状ディスク５４は、前述したように機体に対して上下及び左右に位置調整可能であるから、旧畦上に形成される切削面Ｏ１と塗り付けドラム７１の円筒部７１Ａとの位置関係を適宜に設定できるようにしており、前述した作用を確実に奏し得るような位置調整が可能である。更に、凹状ディスク５４は前述したように、上方に退避する跳ね上げ機構に装備されているので、天場処理を必要としない旧畦の場合には、凹状ディスク５４を不使用状態にして、牽引抵抗の少ない作業を実現することができる。
【００４５】
本実施形態はこのような特徴的な構造及び機能を有するものであるから、回転自在な凹状ディスク５４よって、塗り付けドラム７１における円筒部７１Ａの長さＬ１に応じた凹状断面の削土域を旧畦上面に形成するので、旧畦の上面においては、円筒部７１Ａで塗り付けられる全域に凹状断面の削土域が形成されることになり、新畦が崩れにくい良好な天場処理効果が得られる。また、凹状ディスク５４は回転自在なディスクであって駆動手段を有さないので、駆動機構が複雑になることが無く、軽量且つ安価に製造することができる。また、抵抗に対しては、凹状ディスク５４が自転することで、旧畦上面に広い削土域を形成しながらも牽引抵抗を低減させることが可能になる。
【００４６】
そして、この凹状ディスク５４は削出土を反転させる機能を有しているので、雑草等が生えた旧畦上面の削出土が反転して土盛り装置６０の前に放出され、旧畦上に盛り上げられる土の中に粉砕した雑草等を完全に混合させることができ、内部に分離面を形成し難い新畦を形成することができる。
【００４７】
なお、この凹状ディスク５４の性能は、凹状面５４Ａの曲率或いは凸状部５４Ｂの形状等、形態の違いによって変更することができる。したがって、形態の異なる凸状部に交換するか、形態の異なる凹状ディスク５４を各種用意しておき、凹状ディスク５４を鉛直部材５３の下端に着脱自在に装着して、これらを交換可能にすることで、圃場の条件等に応じて凹状ディスク５４の設定を変えることができる。
【００４８】
【発明の効果】
本発明はこのように構成されるので、以下の作用を奏する。（１）駆動機構を有さない天場処理装置であるから、低重量・低価格化を実現することができる。
（２）回転自在な凹状ディスクを用いているので、牽引抵抗を小さくすることができる。（３）旧畦の削出土を確実に反転させることができるので、雑草等を粉砕して盛り土内に混合することができ、新畦内部に形成される分離面を無くすことができる。（４）充分な天場処理の切削幅が得られ、その切削面が凹状の受け面となるように形成されるので、その上に形成される新畦を充分に締め固め且つ形成後に崩れ難い新畦を形成することができる。
【図面の簡単な説明】
【図１】
本発明の一実施形態に係る畦塗り機の全体構造を示す説明図（平面図）である。
【図２】本発明の一実施形態に係る畦塗り機の全体構造を示す説明図（側面図）である。
【図３】実施形態の天場処理装置における凹状ディスクの構造及び配置を説明する説明図である。
【図４】実施形態に係る畦塗り機の主要な機能について説明する説明図である。
【図５】実施形態に係る畦塗り機の主要な機能について説明する説明図である。
【符号の説明】
１　畦塗り機
１０　連結部
２０　オフセット機構部
３０　機体支持部
４０　動力伝達部
５０　天場処理装置
５１　スライド部材
５２　調整ハンドル
５３　鉛直部材
５４　凹状ディスク
５４Ａ　凹状面
５４Ｂ　凸状部
５４Ｃ　軸受け
５４Ｓ　切削領域
６０　土盛り装置
６１　ロータリ耕耘装置
６１Ａ　耕耘爪
６１Ｂ　回転軌跡
６２　土盛りカバー
６３　サイドカバー
７０　塗り付け装置
７１　塗り付けドラム
７１Ａ　円筒部
７１Ｂ　円錐台部
【図１】
2004129582.tif 000003
【図２】
2004129582.tif 000004
【図３】
2004129582.tif 000005
【図４】
2004129582.tif 000006
【図５】
2004129582.tif 000007